(57)【特許請求の範囲】
【請求項１】
器具本体と、小判形をなすランプ口金の外面に一対の突起を有した片口金型蛍光ランプが着脱されるとともに前記器具本体に取付けられるランプソケットとを具備し、かつ、前記ランプソケットに、口金ピン挿通孔を有したソケット本体と、この本体の半面部のみを取り囲むように前記ソケット本体の前面から一体に延出されて前記ランプ口金の半周に相当する部分に対応した形状をなす支持壁とを備えて、前記支持壁の両翼先端部に、前記突起の半面を摺動させて案内しつつ前記突起の先端と係合する結合部を夫々設けた構造のランプソケットを採用した照明器具において、
前記器具本体に対して前記ランプソケットが直角状に起き上がった起立姿勢に配置される起立位置と、前記器具本体に対して前記ランプソケットが斜め前方向に傾斜する前傾姿勢に配置される前傾位置とにわたって、前記ランプソケットを回動可能に設けたことを特徴とする照明器具。
【請求項２】
器具本体と、この器具本体の長手方向一端部にソケット取付け金具支持台を介して取付けられるソケット取付け金具と、小判形をなすランプ口金の外面に一対の突起を有した片口金型蛍光ランプが着脱されるとともに前記ソケット取付け金具に取付けられるランプソケットとを具備し、かつ、前記ランプソケットに、口金ピン挿通孔を有したソケット本体と、この本体の半面部のみを取り囲むように前記ソケット本体の前面から一体に延出されて前記ランプ口金の半周に相当する部分に対応した形状をなす支持壁とを備えて、前記支持壁の両翼先端部に、前記突起の半面を摺動させて案内しつつ前記突起の先端と係合する結合部を夫々設けた構造のランプソケットを採用した照明器具において、
前記ソケット取付け金具を前記ランプソケットが固定されるソケット固定部及びこの固定部から折り曲げられた回動アーム部を有した一枚の板材で形成するとともに、前記回動アーム部の先端部を回動支点として前記ソケット取付け金具を前記ソケット取付け金具支持台に回動可能に取付けて、前記ソケット取付け金具の回動により、前記器具本体に対して前記ランプソケットが直角状に起き上がった起立姿勢に配置される起立位置と、前記器具本体に対して前記ランプソケットが斜め前方向に傾斜する前傾姿勢に配置される前傾位置とにわたって、前記ランプソケットを配置することを特徴とする照明器具。
【請求項３】
前記ランプソケットを前記起立位置又は前記前傾位置の少なくとも一方の位置に保持するクリックストップ手段を備えたことを特徴とする請求項１又は請求項２に記載の照明器具。
【請求項４】
前記前傾位置から前記起立位置への前記ランプソケットの回動に抵抗する抵抗付与手段を備えたことを特徴とする請求項１〜３のうちのいずれか１項に記載の照明器具。
【請求項５】
前記ソケット取付け金具をなす板材がばね板であって、この金具又は前記ランプソケットと前記ソケット取付け金具支持台の側壁とのいずれか一方に係合突起挿入部を設けるとともに、他方に前記係合突起挿入部に挿入される係合突起を設け、前記ランプソケットが前記起立位置に配置された時に前記係合突起が弾性的に係合する第１位置決め部と、前記ランプソケットが前記前傾位置に配置された時に前記係合突起が弾性的に係合する第２位置決め部とを、前記係合突起挿入部に設けたことを特徴とする請求項２に記載の照明器具。
【請求項６】
前記第２位置決め部から前記第１位置決め部への前記係合突起の移動に抵抗する斜状部を、前記第１位置決め部と前記第２位置決め部とにわたって設けたことを特徴とする請求項５に記載の照明器具。
【請求項７】
前記係合突起挿入部を前記ソケット取付け金具支持台の側壁に設けるとともに、この挿通部が前記側壁の縁に開放されて前記係合突起を外部から導入可能な開放部を有していることを特徴とする請求項２、５、６のうちのいずれか１項に記載の照明器具。
【請求項８】
前記ソケット取付け金具の幅方向中央部に位置する間隙を互いの間に設けて前記回動アーム部を一対設けるとともに、前記ランプソケットに接続された電線を前記間隙に通して配線したことを特徴とする請求項２、５、６、７のうちのいずれか１項に記載の照明器具。
【発明の詳細な説明】
【０００１】
【発明の属する技術分野】
本発明は、片口金型蛍光ランプを光源として用いるものであって、例えばコーブ照明をするのに適する照明器具に関する。
【０００２】
【従来の技術】
片口金型蛍光ランプはその長手方向一端のみにランプ口金を備えるものであり、前記ランプ口金は、小判形をなし、かつ、底面に４本の口金ピンを２列に等間隔で突出させるとともに、ランプ口金の長手軸の周面の両端、言い換えれば、ランプ口金の幅方向両端に夫々突起を一体に突設してなり、これら一対の突起は口金ピンの突出方向と反対側が先細状となる先端を有して将棋の駒のような形状をなしている。
【０００３】
この種ランプのランプ口金が電気的・機械的に結合されるランプソケットとしては特公平６−８２５５７号公報に示されるものが知られており、このソケットは器具本体に動かないように固定して用いられている。
【０００４】
図１５に示されるように前記公報に記載のランプソケット１は、ソケット本体２と、支持壁３とを備えている。ソケット本体２には、片口金型蛍光ランプ４が備えたランプ口金５の底面５ａと当接する前面２ａに４本の口金ピン６（２本のみ図示）が挿通する４つの口金ピン挿通孔７（二つのみ図示）が設けられているとともに、この口金ピン挿通孔７の背面に位置して口金ピン６を挟持した形で電気的接触と機械的結合を行なう接触片８が収納されている。支持壁３は、小判形のソケット本体２の長手軸で２分されたソケット本体２の半面部のみを取囲むように前記前面２ａから一体に延設されてランプ口金５の半周に相当する部分に対応した形状をなして形成されている。この支持壁３の両翼部３ａの先端部には、ランプ口金５の一対の突起９の縦半面を摺動させて案内しつつ、これら突起９の先端９ａと係合するカギ状の結合部１０を設けて形成されている。
【０００５】
このランプソケット１に対して蛍光ランプ４を取付けるには、図１５中実線で示すように支持壁３がない上側の開放部側よりランプ口金５を斜め上方より導入させることにより、まず、上側の口金ピン６を上側の口金ピン挿通孔７に導入させ、それと相前後してランプ口金５の突起９の下半面が支持壁３を結合部１０に沿って案内させる。次に、この状態で、蛍光ランプ４をソケット本体２側に押圧するように力を加えることにより、図１５中２点鎖線に示すように口金ピン６は４本ともソケット本体２内に挿入されて接触片８に夫々挟持されるとともに、突起９の先端９ａが結合部１０に係合されて蛍光ランプ４とランプソケット１とは結合状態となり、それにより、ランプ口金５のランプソケット１からの離脱を阻止できる。
【０００６】
このようなランプソケット１を使用することは、片口金型蛍光ランプ４の取付け作業を容易にできる点で優れており、又、前記取付けの手順と逆の手順により蛍光ランプ４をランプソケット１から容易に取外すことができる。
【０００７】
ところで、コーブ照明は、照明器具を天井或いは壁面に取付け、その光源からの直接光をコーブの壁や天井に反射させて、その反射光により照度を得る間接照明手法であるため、この照明を行なう照明器具は天井面等に比較的接近して配置されることが多い。こうした使用条件において、既述のランプソケット１を採用する照明器具は、その器具本体の上側に片口金型蛍光ランプ４を取付けた姿勢で設置される。
【０００８】
【発明が解決しようとする課題】
しかし、前記ランプソケット１を採用する場合には、支持壁３の結合部１０が原因して蛍光ランプ４をランプソケット１に着脱するので、図１５中θで示される取付け角度が大方３０°以上必要であり、蛍光ランプ４を取付ける際において蛍光ランプ４の先端の高さ位置が高い。ちなみに、ＦＬＲ３６Ｗの片口金型蛍光ランプでは約２５０ｍｍの前記高さ位置が必要であり、ＦＰＲ９６Ｗの片口金型蛍光ランプでは約５００ｍｍの前記高さ位置が必要であった。
【０００９】
そのため、コーブ照明等のように天井面等が迫っている場所へ設置しようとする場合に、蛍光ランプ４の着脱スペースを十分に確保することが困難になる可能性が高く、器具設置上の制約が大きいという問題がある。それにより、天井面等から照明器具が遠く配置されるため、天井面等の照度が不足して間接照明器具としての明るさが低下する。特に、近年においては片口金型蛍光ランプ４の高ワット化が図られつつあり、それに伴いランプ４の全長が長くなる関係で、ますます、前記のような器具設置上の制約が大きくなるという現状にある。
【００１０】
したがって、本発明が解決しようとする第１の課題は、片口金型蛍光ランプの着脱に要する取付け角度を小さくして器具設置上の制約を少なくできる照明器具を得ることにある。
【００１１】
本発明が解決しようとする第２の課題は、前記第１の課題を解決するにあたり、ランプソケットの不用意ながたつきを防止できる照明器具を得ることにある。
【００１２】
本発明が解決しようとする第３の課題は、前記第１又は第２の課題を解決しつつ、片口金型蛍光ランプのランプソケットへの取付け作業性を向上できる照明器具を得ることにある。
【００１３】
本発明が解決しようとする第４の課題は、前記第２の課題を解決しつつ、ソケット取付け金具支持台に対してソケット取付け金具を容易に取付けることができる照明器具を得ることにある。
【００１４】
本発明が解決しようとする第５の課題は、前記第１〜第４のいずれかの課題を解決しつつ、器具内に配線される電線の取扱いを容易にできる照明器具を得ることにある。
【００１５】
【課題を解決するための手段】
請求項１の発明は、器具本体と、小判形をなすランプ口金の外面に一対の突起を有した片口金型蛍光ランプが着脱されるとともに前記器具本体に取付けられるランプソケットとを具備し、かつ、前記ランプソケットに、口金ピン挿通孔を有したソケット本体と、この本体の半面部のみを取り囲むように前記ソケット本体の前面から一体に延出されて前記ランプ口金の半周に相当する部分に対応した形状をなす支持壁とを備えて、前記支持壁の両翼先端部に、前記突起の半面を摺動させて案内しつつ、前記突起の先端と係合する結合部を夫々設けた構造のランプソケットを採用した照明器具を前提とする。
【００１６】
そして、前記第１の課題を解決するために、前記器具本体に対して前記ランプソケットが直角状に起き上がった起立姿勢に配置される起立位置と、前記器具本体に対して前記ランプソケットが斜め前方向に傾斜する前傾姿勢に配置される前傾位置とにわたって、前記ランプソケットを回動可能に設けたものである。
【００１７】
この請求項１の発明において、片口金型蛍光ランプが着脱されるランプソケットは、器具本体に対して固定ではなく前傾姿勢及び起立姿勢を採れるように回動可能に取付けられている。そのため、このソケットを前傾姿勢にした状態で、そのソケット本体の前面の口金ピン挿通孔に前記ランプの口金ピンを挿入できるとともに、この挿入の進行にしたがってランプソケットを回動させて、このソケットを起立姿勢まで起こして前記ランプをランプソケットに取付けることができる。この逆に、前記ランプに引き抜き力を加えるときには、その力にしたがってランプソケットを起立位置から前傾位置に回動させながら、前記ランプをランプソケットから取外すことができる。そして、前記のように蛍光ランプの着脱においてランプソケットが前傾姿勢を採ることにより、このランプソケットの回動に応じて前記ランプの取付け角度を小さくできる。
【００１８】
請求項２の発明は、器具本体と、この器具本体の長手方向一端部にソケット取付け金具支持台を介して取付けられるソケット取付け金具と、小判形をなすランプ口金の外面に一対の突起を有した片口金型蛍光ランプが着脱されるとともに前記ソケット取付け金具に取付けられるランプソケットとを具備し、かつ、前記ランプソケットに、口金ピン挿通孔を有したソケット本体と、この本体の半面部のみを取り囲むように前記ソケット本体の前面から一体に延出されて前記ランプ口金の半周に相当する部分に対応した形状をなす支持壁とを備えて、前記支持壁の両翼先端部に、前記突起の半面を摺動させて案内しつつ前記突起の先端と係合する結合部を夫々設けた構造のランプソケットを採用した照明器具を前提とする。
【００１９】
そして、前記第１の課題を解決するために、前記ソケット取付け金具を前記ランプソケットが固定されるソケット固定部及びこの固定部から折り曲げられた回動アーム部を有した一枚の板材で形成するとともに、前記回動アーム部の先端部を回動支点として前記ソケット取付け金具を前記ソケット取付け金具支持台に回動可能に取付けて、前記ソケット取付け金具の回動により、前記器具本体に対して前記ランプソケットが直角状に起き上がった起立姿勢に配置される起立位置と、前記器具本体に対して前記ランプソケットが斜め前方向に傾斜する前傾姿勢に配置される前傾位置とにわたって、前記ランプソケットを配置することを特徴とするものである。
【００２０】
この請求項２の発明において、片口金型蛍光ランプが着脱されるランプソケットを固定したソケット取付け金具は、その回動アーム部の先端部を回動支点としてソケット取付け金具支持台に回動可能であるから、ランプソケットは、器具本体に対して固定ではなく前記ソケット取付け金具を介して前傾姿勢及び起立姿勢を採れるように回動可能に取付けられている。そのため、このソケットを前傾姿勢にした状態で、そのソケット本体の前面の口金ピン挿通孔に前記ランプの口金ピンを挿入できるとともに、この挿入の進行にしたがってランプソケットを回動させて、このソケットを起立姿勢まで起こして前記ランプをランプソケットに取付けることができる。この逆に、前記ランプに引き抜き力を加えるときには、その力にしたがってランプソケットを起立位置から前傾位置に回動させながら、前記ランプをランプソケットから取外すことができる。そして、前記のように蛍光ランプの着脱においてランプソケットが前傾姿勢を採ることにより、このランプソケットの回動に応じて前記ランプの取付け角度を小さくできる。
【００２１】
前記第２の課題を解決するために、請求項１又は２の発明に従属する請求項３の発明は、前記ランプソケットを前記起立位置又は前記前傾位置の少なくとも一方の位置に保持するクリックストップ手段を備えたものである。
【００２２】
この請求項３の発明は、請求項１又は２の発明の作用に加えて、回動可能なランプソケットはクリックストップ手段により起立位置又は前傾位置の少なくとも一方の位置に節度をもって保持されるので、不用意にがたつくことがない。そのため、器具の輸送時などにおいて加えられる衝撃によりランプソケットの回動支点に大きな負荷が加えられて損傷する恐れがない。しかも、前傾位置に保持する節度を与える場合には、この前傾姿勢のランプソケットを起立させる際に抵抗を与えることができるから、口金ピン挿通孔への口金ピンの挿入に伴いランプソケットが起立位置に容易に逃げることがなくなり、確実に口金ピンを口金ピン挿通孔のすべてに挿入させながらランプソケットを前傾位置から起立位置に回動させて、蛍光ランプの取付けを行わせることができる。
【００２３】
同様に、前記第２の課題を解決するために請求項２の発明に従属する請求項５の発明は、前記ソケット取付け金具をなす板材がばね板であって、この金具又は前記ランプソケットと前記ソケット取付け金具支持台の側壁とのいずれか一方に係合突起挿入部を設けるとともに、他方に前記係合突起挿入部に挿入される係合突起を設け、前記ランプソケットが前記起立位置に配置された時に前記係合突起が弾性的に係合する第１位置決め部と、前記ランプソケットが前記前傾位置に配置された時に前記係合突起が弾性的に係合する第２位置決め部とを、前記係合突起挿入部に設けたことを特徴とするものである。
【００２４】
この請求項５の発明は、請求項２の発明の作用に加えて、ソケット取付け金具の回動アーム部のばね力で係合突起が係合突起挿入部の第１位置決め部及び第２位置決め部に選択的に弾性的に係合されるから、第１位置決め部への係合突起の弾性的係合によりランプソケットを起立位置に節度をもって保持でき、又、第２位置決め部への係合突起の弾性的係合によりランプソケットを前傾位置に節度をもって保持できる。言い換えれば、弾性変形する回動アーム部と、係合突起と、この突起が係脱する係合突起挿入部の第１、第２の位置決め部とが、クリックストップ手段をなすものである。そのため、前傾位置又は起立位置に保持されたランプソケットが不用意にがたつくことがないとともに、器具の輸送時などにおいて加えられる衝撃によりランプソケットの回動支点等に大きな負荷が加えられて損傷する恐れがない。しかも、前傾位置に保持する節度により、この前傾姿勢のランプソケットを起立させる際に抵抗を与えることができるから、口金ピン挿通孔への口金ピンの挿入に伴いランプソケットが起立位置に容易に逃げることがなくなり、確実に口金ピンを口金ピン挿通孔のすべてに挿入させながらランプソケットを前傾位置から起立位置に回動させて、蛍光ランプの取付けを行わせることができる。
【００２５】
前記第３の課題を解決するために、請求項１〜３のいずれかの発明に従属する請求項４の発明は、前記前傾位置から前記起立位置への前記ランプソケットの回動に抵抗する抵抗付与手段を備えたものである。
【００２６】
この請求項４の発明は、請求項１〜３のいずれかの発明の作用に加えて、ランプソケットを前傾姿勢から起立位置に起立させる際に、このソケットの回動に抵抗付与手段で抵抗を与えるから、口金ピン挿通孔への口金ピンの挿入に伴いランプソケットが起立位置に容易に逃げることを妨げて、確実に口金ピンを口金ピン挿通孔のすべてに挿入させながらランプソケットを前傾位置から起立位置に回動させて、蛍光ランプの取付けを行わせることができる。
【００２７】
同様に、前記第３の課題を解決するために、請求項５の発明に従属する請求項６の発明は、前記第２位置決め部から前記第１位置決め部への前記係合突起の移動に抵抗を与える斜状部を、前記第１位置決め部と前記第２位置決め部とにわたって設けたことを特徴とするものである。
【００２８】
この請求項６の発明は、請求項５の発明の作用に加えて、ランプソケットを前傾姿勢から起立位置に起立させる際において、第１、第２の位置決め部とにわたる斜状部で、この斜状部に対する係合突起の摺動に抵抗を与えることができ、言い換えれば、起立位置に起きようとするランプソケットの回動に抵抗を与えることができる。そのため、口金ピン挿通孔への口金ピンの挿入に伴いランプソケットが起立位置に容易に逃げることを妨げて、確実に口金ピンを口金ピン挿通孔のすべてに挿入させながらランプソケットを前傾位置から起立位置に回動させて、蛍光ランプの取付けを行わせることができる。
【００２９】
前記第４の課題を解決するために、請求項２、５、６の発明のいずれかに従属する請求項７の発明は、前記係合突起挿入部を前記ソケット取付け金具支持台の側壁に設けるとともに、この挿通部が前記側壁の縁に開放されて前記係合突起を外部から導入可能な開放部を有していることを特徴とするものである。
【００３０】
この請求項７の発明は、請求項２、５、６のいずれかの発明の作用に加えて、ランプソケットが予め取付けられたソケット取付け金具をソケット取付け金具支持台に取付ける際に、ソケット取付け金具支持台の側壁に設けられた係合突起挿入部に、ソケット取付け金具側の係合突起を挿入させるのに、ソケット取付け金具の内側から挿入操作をする面倒がなく、係合突起挿入部の開放された開放部に係合突起を通して導入し、この突起を係合突起挿入部に挿入することができる。
【００３１】
前記第５の課題を解決するために、請求項２、５、６、７の発明のいずれかに従属する請求項８の発明は、前記ソケット取付け金具の幅方向中央部に位置する間隙を互いの間に設けて前記回動アーム部を一対設けるとともに、前記ランプソケットに接続された電線を前記間隙に通して配線したことを特徴とするものである。
【００３２】
この請求項８の発明によれば、請求項２、５、６、７のいずれかの発明の作用に加えて、ソケット取付け金具が有した一対の回動アーム部相互間の間隙を通してランプソケットに接続された電線を配線できる。一般的に電線はランプソケットに対してその幅方向中央部に接続してあるので、この電線を回動アーム部に迂回させることなく、既述のように配線できる。
【００３３】
【発明の実施の形態】
以下、図１〜図６を参照して本発明の第１の実施の形態を説明する。
【００３４】
図１は第１の実施の形態に係る照明器具の設置状況を示す略断面図であって、この図中１１は天井面、１２は垂直状の壁面１３の天井面１１寄りに突設された遮光用の棚を示し、この棚１２上にはコーブ照明用の照明器具１４が配置されている。
【００３５】
この器具１４は、図２に示されるように細長い箱状をなす器具本体１５の一端部にその上面から突出するランプソケット１６を取付けるとともに、他端部上面にランプホルダ１７を取付け、かつ、これらを介して片口金型蛍光ランプ（以下、単にランプと略称する。）１８を着脱可能に取付けて形成されている。ランプソケット１６は図２中寸法Ａで示すように器具本体１５の一端からずらして配置されているとともに、ランプ１８の先端部も器具本体１５の他端から寸法Ｂで示すように突出されている。それにより、図２中実線と２点鎖線との関係で示すように複数の照明器具１４をその軸方向に連続するように並べて配置する場合に、隣接する照明器具１４間の切れ目をなくしてコーブ照明による間接光のむらをなくし得るようになっている。
【００３６】
図３等に示されるように器具本体１５は、図示しない点灯用の各種の電気部品等が装着された本体主部２３と、ソケット取付け金具支持台としての端部材２４と、反射板を兼ねるカバー２５とから形成されている。板金製の本体主部２３は幅方向両側に上向きの折り曲げフランジを有した樋状のもので、その長手方向一端部に端部材２４が連結されている。端部材２４は、板金製であり、本体主部２３の端部を上側から抱持するように配置されて、図示しない複数本のねじを介して本体主部２３の底部に固定されている。なお、図３及び図４中２４ａは端部材２４の側板部、２４ｂは両側の側板部２４ａ間にわたる端部材２４のブリッジ部である。板金製のカバー２５は下面が開放された細長い箱状をなしており、これは本体主部２３及び端部材２４を覆って本体主部２３に取外し可能に連結されている。このカバー２５の長手方向一端部の上面には、このカバー２５の幅方向に延びる夫々長方形状のソケット通孔２６が開けられている。
【００３７】
図３及び図５に示されるようにランプ１８は、ランプホルダ１７に支持されるＵ字管型や平行管型のバルブ１９の一端にランプ口金２０を取付けてなる。ランプ口金２０は、底面から見た形状が小判型をなし、前記底面には４本の口金ピン２１が２列に等間隔で突出されているとともに、ランプ口金２０の幅方向両端位置の外面に一対の突起２２が一体に突設されている、これらの突起２２は将棋の駒形状をなしていて、口金ピン２１と反対方向の端部が先細状に尖っている。
【００３８】
前記ランプソケット１６は図１５を参照して既に説明した従来公知のものである。ここに重複説明を避けるために簡単に説明すれば、ランプソケット１６は、前面３１ａに４個の口金ピン挿通孔３２を有したソケット本体３１と、この本体３１の半面部のみを取囲むように前記前面３１ａから一体に延出されてランプ口金２０の半周に相当する部分に対応した形状をなす支持壁３３とを備え、この支持壁３３の両翼部３３ａの先端部には前記突起２２の半面を摺動させて案内しつつ、前記突起２２の尖った先端２２ａと係合する結合部３４を夫々設けて形成されている。もちろん、ソケット本体３１には、口金ピン挿通孔３２の裏側に位置して、これらの孔３２を挿通した口金ピン２１を挟持した形で電気的接触と機械的結合とを行なう接触片（図示しない）が内蔵されている。なお、図５中１６ａは口金裏蓋である。
【００３９】
このランプソケット１６は、器具本体１５の長手方向一端部に回動可能に取付けられていて、器具本体１５に対して図３（Ｂ）及び図４（Ｂ）に示されるように直角状に起き上がった起立姿勢をなして配置される起立位置と、器具本体１５に対して図３（Ａ）及び図４（Ａ）に示されるように斜め前方向に傾斜する前傾姿勢をなして配置される前傾位置とにわたって移動可能に設けられている。これを可能とした取付け構造を図３及び図４を参照して以下説明する。
【００４０】
本体主部２３の幅方向に対向する前記一対の側板部２４ａ間にはソケット取付け金具をなす板金製のソケット取付け板３５が配置され、この板３５は、両端を両側板部２４ａに枢支されて厚み方向に回動可能に取付けられている。前記枢支構造は、ソケット取付け板３５の両端から下方に折り曲げられた板部に夫々開けた円形の枢支孔３６に、前記側板部２４ａから切り起こし等により設けた半円形の枢支突起３７を嵌合して形成されている。なお、この枢支構造は枢支孔３６を側板部２４ａに設け、かつ、枢支突起３７をソケット取付け板３５に設けて実施することもできる。ソケット取付け板３５の上面にはランプソケット１６が、その支持壁３３を通ってソケット取付け板３５に螺合される複数のねじ３８により固定されている。
【００４１】
このようにソケット取付け板３５に固定されたランプソケット１６の大部分は、前記ソケット通孔２６を遊通して器具本体１５の外部上方に突出されている。ソケット取付け板３５はその下側に折れ曲がるストッパ部３５ａを有し、この部分が前記ブリッジ部２４ｂに当ることにより、図３（Ｂ）に示されるようにソケット取付け板３５が水平な姿勢になると同時に、ランプソケット１６が図３（Ｂ）に示される起立姿勢となるものである。この状態からソケット取付け板３５は器具本体１５の上面をなす反射面に対しておじぎをするように回動でき、それにより図３（Ａ）に示されるように前傾姿勢となるものである。
【００４２】
そして、前記器具本体１５にはクリックストップ手段及び抵抗手段をなす板ばね３９が取付けられている。板ばね３９は、図６に示されるように長手方向一端部に連結部３９ａを折り曲げ、長手方向他端部に幅狭突片３９ｂを延出するとともに、この突片３９ｂの先端部３９ｂ１を折り曲げて形成されている。このばね３９は、ランプソケット取付け板３５の孔を通ってランプソケット１６とソケット取付け板３５との間に連結部３９ａを挟み込むとともに、幅狭突片３９ｂを本体主部２３に開けた孔４０に挿通させることにより取付けられている。幅狭突片３９ｂの先端部３９ｂ１は孔４０への挿通後に折り曲げられて外れ止めをするようになっている。この板ばね３９の取付けにあたり、外れ止めのために連結部３９ａに孔３９ａ１を開けて、そこにねじ３８を通すとよい。
【００４３】
こうして取付けられる板ばね３９の連結部３９ａから幅狭突片３９ｂの根元まで主板部の長さは、連結部３９ａの挟着部と孔４０とを両端としてこれらを結ぶ直線Ｃの長さよりも多少長くしてあるから、取付け状態では前記主板部が図３（Ａ）又は図３（Ｂ）のように撓んで設けられる。したがって、このソケット取付け板３５とともにランプソケット１６がどの方向に向けて回動されるときにも、板ばね３９の主板部が前記直線Ｃを超えるまでは次第に抵抗力が高まり、この直線Ｃを超えた直後に前記主板部が前記直線Ａを越えた側に凸となるように急激に弾性変形する。こうした挙動によりランプソケット１６の前記回動に節度を与えることができるとともに、ランプソケット１６を起立位置又は前傾位置のいずれかに保持できるようになっている。なお、前記急激な弾性変形に伴う起立位置でのクリックストップ（節動）は、既述のようにソケット取付け板３５が前記ブリッジ部２４ｂに当接して支えられるが、同様に前記急激な弾性変形に伴う前傾位置でのクリックストップは、図３（Ａ）に示されるようにソケット取付け板３５が前記カバー２５に当接して支えられる。したがって、ランプソケット１６がソケット通孔２６の孔縁に当って、この孔２６の変形を招いたりランプソケット１６が傷つけられたりすることがない点で優れている。
【００４４】
以上の構成の照明器具において、そのランプソケット１６にランプ１８を取付ける手順を説明する。まず、図５（Ａ）に示されるようにカバー２５上に突出されているランプソケット１６を手でおじぎするように動かして前傾位置に配置する。こうした前傾状態は図４（Ａ）にも示され、又、この状態では図３（Ａ）に示されるように板ばね３９が前記直線Ｃの左側に凸となる姿勢となっていて、そのばね力によりランプソケット１６を前傾姿勢に保持している。
【００４５】
次に、この状態においてランプ１８をカバー２５の上面に近づけた姿勢でランプソケット１６側に動かして、そのランプ口金２０を前記姿勢のランプソケット１６に挿入する。そうすると、はじめに、４本の口金ピン２１のうちの上側の２本の口金ピン２１が４つの口金ピン通挿孔３２のうち上側の２個に挿入される。この場合、ランプソケット１６が前傾しているので、それに応じてランプ取付け角度が小さくて済む。
【００４６】
しかも、前記前傾状態では板ばね３９のばね力がランプソケット１６が起きる方向への抵抗力として作用しているから、ランプ口金２０がランプソケット１６の翼部３３ａ等に接触してランプソケット１６を起こそうとするにも拘らず、ランプソケット１６が起立位置側に逃げ動くことが防止される。そのため、口金ピン挿通孔３２への口金ピン２１の挿通が、円滑、かつ確実に行われて、ランプ口金２０の挿入がなされる。そうすると、残りの口金ピン２１がそれに対応する残りの口金ピン挿通孔３２に挿入され、やがて図５（Ｂ）に示されるようにランプ口金２０がソケット本体３１の前面３１ａの上縁に当って、このランプソケット１６を直接押すようになる。
【００４７】
そのため、ランプソケット１６及びソケット取付け板３５が共に枢支孔３６及び枢支突起３７を支点として板ばね３９に抗して起こされるように回動され、やがて、前記直線Ｃを板ばね３９が超えると同時に、図３（Ｂ）に示されるように板ばね３９が前記直線Ｃの右側に凸となる姿勢になるとともに、その際に解放されるばね力によって、ランプソケット１６は急激に回動して図３（Ｂ）、図４（Ｂ）、図５（Ｃ）に示されるように起立位置に配置されて保持される。
【００４８】
もちろん、それに伴い、口金ピン２１が４本ともソケット本体３１内の接触片に夫々挟持されるとともに、ランプ口金２０の突起２２の半面が支持壁３３の結合部３４に案内されて、この突起２２の先端２２ａが結合部３４に係合される。それにより、ランプ１８とランプソケット１６とは結合状態となって、ランプ口金２０のランプソケット１６からの離脱を阻止できる。そして、以上の操作によるランプ１８の取付け完了は、板ばね３９の既述の反転動作による節度感と、それに伴うソケット取付け板３５のストッパ部３５ａがブリッジ部２４ｂに当ることに伴う衝突音によって容易に知ることができる。
【００４９】
又、ランプソケット１６に取付けられたランプ１８を取外すには、ランプ１８をランプホルダ１７から外すのに必要なだけランプソケット１６を中心に斜め上に傾くように持ち上げてから、このランプ１８をランプソケット１６から遠ざかるようにカバー２５に沿って引抜けば良い。そうすると、前記取付けの場合とは逆に、まず、突起２２と結合部３４との係合によりランプソケット１６全体がおじぎをするように前側に回動されて前傾位置に配置されるから、それに伴い前記係合が自然に外れ、引続いて口金ピン２１が前記接触片及び口金ピン挿通孔３２から引抜かれるものであり、したがって、ランプ１８を取外すことができる。
【００５０】
前記のようにランプ１８の着脱においては、ランプソケット１６が回動して前傾姿勢を採ることにより、このランプソケット１６の回動に応じてランプ１８の取付け角度を０°〜１５°程度と小さくできる。それにより、ランプソケット１６へのランプ１８の挿入又は引出しを例えば器具本体１５と略平行な姿勢で行なうことも可能である。そのため、照明器具１４の設置上の制約を少なくできるものであり、図１に示される棚１２の上方のスペースが狭い場合でも、或いはランプ１８が通常の４０Ｗと異なり、５５Ｗや９６Ｗ等のように高出力であるが故にランプ長さが長い場合であっても、そのランプ着脱操作に支障を来たすことなく照明器具１４を棚１２上に設置できる。言い換えれば、棚１２上の照明器具１４の上方に手が入る程度の空間があればランプ１８を着脱できるので、前記のようにランプ長さが長くても、天井面１１と棚１２上の照明器具１４との間の距離を短くできる。そのため、天井面１１の照度低下を抑制して、間接照明器具１４としての明るさ不足を防止できる。
【００５１】
又、前記のようにランプソケット１６にランプ１８を取付ける際において、口金ピン挿通孔３２への口金ピン２１の挿入に伴いランプソケット１６が起立位置に容易に逃げることが妨げられるので、確実に口金ピン２１を口金ピン挿通孔３２のすべてに挿入させながらランプソケット１６を前傾位置から起立位置に回動させることができる。したがって、前記逃げを抑制するためにランプソケット１６を手で押える等の面倒がなく、ランプ１６の取付け作業性を向上できる。
【００５２】
更に、クリックストップ手段をなす板ばね３９により、回動可能なランプソケット１６を起立位置又は前傾位置の両位置に節度をもって保持できるので、不用意にランプソケット１６ががたつくことがない。そのため、器具の輸送時などにおいて加えられる衝撃により、枢支孔３６と枢支突起３７とがなすランプソケット１６の回動支点に大きな負荷が加えられて損傷する恐れがない。
【００５３】
しかも、ランプソケット１６を起立位置に保持する節度を与えるので、図３（Ａ）と図３（Ｂ）とランプソケット１６の高さ位置の比較から分かるようにランプソケット１６を前傾位置に保持する場合に比較して器具本体１５に対するランプソケット１６の突出寸法を小さくできる。そのため、器具の梱包を小形にするのに有利である。
【００５４】
なお、前記第１の実施の形態では、一枚の板ばね３９によりクリックストップ手段と抵抗付与手段とを兼ねたので、部品点数が少なく構造簡単であって低コストに作ることができる点で優れているが、本発明において前記両手段は別々に設けることができ、中でも抵抗付与手段はランプソケットが前傾位置から起立位置に回動するときにだけ機能するように設ければ良いものである。
【００５５】
次に、図７〜図１４を参照して本発明の第２の実施の形態を説明する。この照明器具１１４もコーブ照明に使用されるものであって、これは第１の実施の形態で図１に示したのと同様に設置される。
【００５６】
この器具１１４は、図７及び図８に示されるように細長い箱状をなす器具本体１１５の一端部にその上面から突出するランプソケット１６を取付けるとともに、他端部上面に板ばね製のランプホルダ１１７を取付け、かつ、これらを介して片口金型蛍光ランプ（以下、単にランプと略称する。）１８を着脱可能に取付けて形成されている。ランプ１８の先端部は器具本体１１５の他端から突出されていて、それにより、複数の照明器具１１４をその軸方向に連続するように並べて配置する場合に、隣接する照明器具１１４間の切れ目をなくしてコーブ照明による間接光のむらをなくし得るようになっている。
【００５７】
図１１に示されるようにランプ１８は、ランプホルダ１７に支持されるＵ字管型や平行管型のバルブ１９の一端にランプ口金２０を取付けてなる。ランプ口金２０は、底面から見た形状が小判型をなし、前記底面には４本の口金ピン２１が２列に等間隔で突出されているとともに、ランプ口金２０の幅方向両端位置の外面に一対の突起２２が一体に突設されている、これらの突起２２は将棋の駒形状をなしていて、口金ピン２１と反対方向の端部が先細状に尖っている。
【００５８】
図８等に示されるように器具本体１１５は、本体主部１２３と、ソケット装置１０４と、反射板を兼ねるカバー１２５とから形成されている。板金製の本体主部１２３は幅方向両側に上向きの折り曲げフランジを有した樋状のもので、その内部には図９に示されるように放電灯安定器等の点灯装置１０１、端子台１０２、略コ字形状をなす複数のカバー取付け金具１０３等の各種の部品等が装着されている。カバー１２５は、これを通してカバー取付け金具１０３に夫々螺合されるねじを介して本体主部１２３に取付けられているとともに、その長手方向一端部にソケット装置１０４を突出させる例えば凹溝からなるソケット通し部１２５ａが設けられ、かつ、長手方向他端部に前記ランプホルダ１１７が取付けられている。
【００５９】
前記ソケット装置１０４は、図１０〜図１４に示されるようにソケット取付け金具支持台としての端部材１２４と、ソケット取付け金具１３５と、ランプソケット１６とを有してユニット化されており、その端部材１２４を本体主部１２３の長手方向一端にねじ止め等により連結して取付けられている。
【００６０】
ランプソケット１６は図１５を参照して既に説明した従来公知のものである。ここに重複説明を避けるために簡単に説明すれば、ランプソケット１６は、前面３１ａに４個の口金ピン挿通孔３２を有したソケット本体３１と、この本体３１の半面部のみを取囲むように前記前面３１ａから一体に延出されてランプ口金２０の半周に相当する部分に対応した形状をなす支持壁３３とを備え、この支持壁３３の両翼部３３ａの先端部には前記突起２２の半面を摺動させて案内しつつ、前記突起２２の尖った先端２２ａと係合する結合部３４を夫々設けて形成されている。もちろん、ソケット本体３１には、口金ピン挿通孔３２の裏側に位置して、これらの孔３２を挿通した口金ピン２１を挟持した形で電気的接触と機械的結合とを行なう接触片（図示しない）が内蔵されている。なお、図１４中１６ａは口金裏蓋であり、また、３１ｂはソケット本体３１の底面の幅方向中央部に並設された電線接続孔である。これら接続孔３１ｂに個別に挿入される電線１０５（図８参照）は夫々前記接触片が有した鎖錠片に自己鎖錠構造により電気的かつ機械的に接続されるようになっている。
【００６１】
図１２等に示されるように板金製の端部材１２４は、背板部１２６の幅方向両側に側壁１２７を互いに平行に折り曲げるとともに、背板部１２６から底壁１２８を折り曲げ、この底壁１２８の両側から連結片１２９を夫々折り曲げ、これら連結片１２９を側壁１２７の内面に重ねて側壁１２７にリベット止めして形成されている。この端部材１２４が本体主部１２３の一端部に固定された状態では、この主部１２３と前記底壁１２８との間には図１１に示す空隙Ｓが形成され、この空隙Ｓを通して隣接する照明器具に対する送り配線が行われるようになっている。
【００６２】
端部材１２４の両側壁１２７の夫々には係合突起挿入部１３０が設けられている。これら挿通部１３０は、例えば切り欠き溝からなり、側壁１２７の背板部１２６と反対側の縁に開放された開放部１３１と、この開放部１３１と対向して背板部１２６側に位置された第１位置決め部１３２と、これら開放部１３１と第１位置決め部１３２との間に設けられた第２位置決め部１３３と、両位置決め部１３２、１３３に渡って設けられた斜状部１３４とを有している。開放部１３１及び第１位置決め部１３２は同じ高さ位置にあり、第２位置決め部１３３は開放部１３１及び第１位置決め部１３２よりも図１２において上方にずれた位置に設けられている。端部材１２４の底壁１２８の先端縁部には一対のスリット状の枢支孔１２８ａが開けられている。
【００６３】
前記ソケット取付け金具１３５は一枚のばね板を折り曲げて形成されている。すなわち、この金具１３５は、ソケット固定部１３６から回動アーム部１３７を折り曲げて側面形状が略Ｌ字形状をなすものである。ソケット固定部１３６には、回動アーム部１３７が連なる縁部においてストッパ舌片１３８が複数切り起こされているとともに、前記縁部とは反対側の縁部から側方（器具本体１１５の幅方向外側）に突出する係合突起１３９が設けられている。係合突起１３９は前記縁部を二枚重ねに折り曲げることによって形成されている。回動アーム部１３７は前記枢支孔１２８ａに対応して一対設けられ、相互間に間隙Ｇを設けている。この隙間Ｇに臨んだ回動アーム部１３７の縁は折り曲げられていて、この縁のエッジが電線１０５に接して絶縁被覆を傷つけないように配慮されている。又、回動アーム部１３７の先端部には抜け止め舌片１３７ａが斜めに折り曲げられている。
【００６４】
このソケット取付け金具１３５のソケット固定部１３６上には前記ランプソケット１６が固定されている。この固定は、前記支持壁３３及びソケット固定部１３６の中央部を貫通する２本の取付けねじ１４０に、ソケット固定部１３６の裏側からワッシャ１４１及びナット１４２（いずれも図１２に一方のみ図示）を夫々嵌合して、両取付けねじ１４０を締め付けることにより行われている。この取付けにおいて、ランプソケット１６は、前記ストッパ舌片１３８に当って位置決めされて、図１０に示される適正な姿勢に固定される。こうして固定されたランプソケット１６とソケット固定部１３６との位置関係は図１４に示されており、前記電線接続孔３１ｂはソケット固定部１３６から外れて、ソケット取付け金具１３５に取付けられた状態でこれら接続孔３１ｂへの電線１０５の接続ができるようになっている。
【００６５】
前記構成のソケット装置１０４は次の手順で組立てられる。まず、ソケット取付け金具１３５にランプソケット１６を取付ける。この取付けは、前記金具１３５のソケット固定部１３６上に、そのストッパ舌片１３８で位置決めしてランプソケット１６を載置し、取付けねじ１４０を前記ソケット１６の支持壁３３及びソケット固定部１３６に通して、このねじ１４０にワッシャ１４２をかませてナット１４２を螺合し取付けねじ１４０を締め付けることで行なう。この場合、前記ストッパ舌片１３８でランプソケット１６は位置決めされるから、取付けねじ１４０の挿通に際しての位置合わせが容易であることはもちろんのこと、取付けねじ１４０を締め付ける際においてランプソケット１６の不用意な回動を防止できるから、前記作業を容易に実施できる。
【００６６】
次に、ランプソケット１６の電線接続孔３１ｂの夫々に電線１０５を挿入して、これらの電線１０５を前記ソケット１６に接続する。
【００６７】
最後に、ソケット取付け金具支持台である端部材１２４にソケット取付け金具１３５を取付ける。この取付けは、まず、ソケット取付け金具１３５の両側部に設けられた係合突起１３９を、端部材１２４の両側壁１２７に設けた係合突起挿入部１３０にその開放部１３１を通して、この突起１３９が前記挿通部１３０の最も奥の第１位置決め部１３２に係合されるまで挿入する。それにより、ランプソケット１６が固定されたソケット取付け金具１３５が端部材１２４の内側に配置され、かつ、この金具１３５が有した一対の回動アーム部１３７の先端部は前記底壁１２８の前縁部近傍に配置される。次に、一対の回動アーム部１３７を前側から押込んで底壁１２８の内面側に位置されるように弾性変形させながら、その抜け止め舌片１３７ａを夫々底壁１２８の枢支孔１２８ａに挿通させる。それにより、ソケット取付け金具１３５が弾性変形された状態に保持され、かつ、その係合突起１３９が第１位置決め部１３２に弾性的に係合されるとともに、回動アーム部１３７が枢支孔１２８ａに弾性的に係合された状態で、端部材１２４の内側にソケット取付け金具１３５が取付けられる。
【００６８】
前記ソケット装置１０４の既述の組立て手順においては、端部材１２４の係合突起挿入部１３０にソケット取付け金具１３５の係合突起１３９を挿通させて、ランプソケット１６が予め取付けられた前記金具１３５を端部材１２４に取付けるのに、既述のように係合突起１３９を係合突起挿入部１３０が有する開放部１３１に通して係合突起挿入部１３０に導入できるので、ソケット取付け金具１３５の内側からその側壁１２７を変形させながら係合突起１３９を係合突起挿入部１３０に挿入させる面倒がない。そのため、端子台１２４に対してソケット取付け金具１３５を容易に取付けることができる。しかも、予めランプソケット１６に接続された電線１０５を、ソケット取付け金具１３５が有した一対の回動アーム部１３７相互間の間隙Ｇに通して前記組立てを行なえるから、ランプソケット１６の幅方向中央部に底面から挿入して接続された電線１０５を、ソケット取付け金具１３５の幅方向中央部に通して配線できる。すなわち、電線１０５を回動アーム部１３７に迂回させることなく配線できるから、電線１０５の取扱いが容易である。
【００６９】
前記組立てによりユニット化されたソケット装置１０４は、器具本体１５が備える本体主部１２３の長手方向一端部に取付けられ、そのランプソケット１６は、器具本体１１５に対して図１０（Ｂ）及び図１１（Ｂ）に示されるように直角状に起き上がった起立姿勢をなして配置される起立位置と、器具本体１１５に対して図１０（Ａ）及び図１１（Ａ）に示されるように斜め前方向に傾斜する前傾姿勢をなして配置される前傾位置とにわたって移動可能に設けられる。ランプソケット１６は、ソケット取付け金具１３５の係合突起１３９を係合突起挿入部１３０の第１位置決め部１３２に弾性的に係合させることにより、前記起立姿勢を保持して起立位置に位置決め配置されるものである。更に、ランプソケット１６は、起立状態から器具本体１１５の上面をなす反射面（ランプ１８が対向するカバー１２５の表面）に対しておじぎをするように回動でき、この回動に伴いソケット取付け金具１３５の係合突起１３９を係合突起挿入部１３０の第２位置決め部１３３に弾性的に係合させることにより、前記前傾姿勢を保持して前傾位置に位置決め配置されるものである。
【００７０】
以上の構成の照明器具１１４において、そのランプソケット１６にランプ１８を取付ける手順を図１１により説明する。まず、回動アーム部１３７の弾性力に抗しつつこれらアーム部１３７の先端部、つまり、枢軸支え孔１２８ａに挿入され抜け止め舌片１３７ａを回動支点として回動させながら、カバー１２５上に突出されているランプソケット１６を手で押し動かし、図１１（Ａ）に示されるように前傾位置に配置する。この前傾状態は図１０（Ａ）にも示されている。この状態ではソケット取付け金具１３５の係合突起１３９が係合突起挿入部１３０の第２位置決め部１３３に弾性的に係合しており、一対の回動アーム部１３７の弾性力によりランプソケット１６が前傾姿勢に保持されている。
【００７１】
次に、この状態においてランプ１８をカバー１２５の上面に近づけた姿勢でランプソケット１６側に動かして、そのランプ口金２０を前記姿勢のランプソケット１６に挿入する。そうすると、はじめに、４本の口金ピン２１のうちの上側の２本の口金ピン２１が４つの口金ピン通挿孔３２のうち上側の２個に挿入される。この場合、ランプソケット１６が前傾しているので、それに応じてランプ取付け角度が小さくて済む。
【００７２】
しかも、係合突起挿入部１３０の斜状部１３４は、第２位置決め部１３３から第１位置決め部１３２に向かうに従い図１１において次第に下がる傾斜をもって設けられている。そのため、ランプソケット１６を前傾位置から起立位置に移動させる際には、斜状部１３４により係合突起１３９が押し下げられ、ソケット取付け金具１３５は更に弾性変形をしながら起立位置に移動されるから、前記斜状部１３４によってランプソケット１６が起きる方向への抵抗力を与えることができる。このような抵抗付与手段を係合突起挿入部１３の一部をなす斜状部１３４で形成したことは、構成が極めて簡単である点で優れている。
【００７３】
そして、前記ランプ１８の装着に伴いランプ口金２０がランプソケット１６の翼部３３ａ等に接触してランプソケット１６を起こそうとするにも拘らず、前記抵抗付与手段によりランプソケット１６が起立位置側に容易に逃げ動くことを防止できるので、口金ピン挿通孔３２への口金ピン２１の挿通が、円滑、かつ確実に行われて、ランプ口金２０の挿入がなされる。そうすると、残りの口金ピン２１がそれに対応する残りの口金ピン挿通孔３２に挿入され、やがてランプ口金２０がソケット本体３１の前面３１ａの上縁に当って、このランプソケット１６を直接押すようになる。
【００７４】
そのため、ランプソケット１６は、係合突起１３９を斜状部１３４に摺動させるとともに、ソケット取付け金具１３５を、更に弾性変形させながらその回動アーム部１３７の抜け止め舌片１３７ａを支点として前記背板部１２６側に起こすように回動させる。そして、やがて、係合突起１３９が斜状部１３４から外れて第１位置決め部１３２に入り込んで急激に係合すると同時に、ランプソケット１６は図１０（Ｂ）、図１１（Ｂ）に示されるように起立位置に位置決め配置されて保持される。
【００７５】
もちろん、それに伴い、口金ピン２１が４本ともソケット本体３１内の接触片に夫々挟持されるとともに、ランプ口金２０の突起２２の半面が支持壁３３の結合部３４に案内されて、この突起２２の先端２２ａが結合部３４に係合される。それにより、ランプ１８とランプソケット１６とは結合状態となって、ランプ口金２０のランプソケット１６からの離脱を阻止できる。そして、以上の操作によるランプ１８の取付け完了は、係合突起１３９が第１位置決め部１３２に急激に係合する挙動に伴う節度感及び衝突音によって容易に知ることができる。
【００７６】
又、ランプソケット１６に取付けられたランプ１８を取外すには、ランプ１８をランプホルダ１１７から外すのに必要なだけランプソケット１６を中心に斜め上に傾くように持ち上げてから、このランプ１８をランプソケット１６から遠ざかるようにカバー１２５に沿って引抜けば良い。
【００７７】
そうすると、前記取付けの場合とは逆に、まず、突起２２と結合部３４との係合によりランプソケット１６全体がせり出しながらおじぎをするように前側に回動されて前傾位置に配置されるから、それに伴い前記係合が自然に外れ、引続いて口金ピン２１が前記接触片及び口金ピン挿通孔３２から引抜かれるものであり、したがって、ランプ１８を取外すことができる。
【００７８】
この場合、第１位置決め部１３２から引出された係合突起１３９に対して斜状部１３４は、ソケット取付け金具１３５がその回動アーム部１３７の先端部の回動支点を中心に回動しようとする方向に沿うような逃げ方向に傾斜していて、抵抗にならないから、係合突起１３９は容易に斜状部１３４を経由して第２位置決め部１３３に係合することができる。しかも、この第２位置決め部１３３に対して係合突起１３９はソケット取付け金具１３５の弾性力で急激に係合するから、こうした挙動に伴う節度感及び衝突音によって、ランプソケット１６が前傾位置に移動したことを容易に知ることができる。
【００７９】
前記のようにランプ１８の着脱において、ランプソケット１６が回動して前傾姿勢を採ることにより、このランプソケット１６の回動に応じてランプ１８の取付け角度を０°〜１５°程度と小さくできる。それにより、ランプソケット１６へのランプ１８の挿入又は引出しを例えば器具本体１１５と略平行な姿勢で行なうことも可能である。そのため、照明器具１１４の設置上の制約を少なくできるものであり、器具設置場所の上方のスペースが狭い場合でも、或いはランプ１８が通常の４０Ｗと異なり、５５Ｗや９６Ｗ等のように高出力であるが故にランプ長さが長い場合であっても、そのランプ着脱操作に支障を来たすことなく照明器具１１４を設置できる。言い換えれば、照明器具１１４の上方に手が入る程度の空間があればランプ１８を着脱できるので、前記のようにランプ長さが長くても、天井面と照明器具１１４との間の距離を短くできる。そのため、天井面の照度低下を抑制して、間接照明器具１１４としての明るさ不足を防止できる。
【００８０】
又、前記のようにランプソケット１６にランプ１８を取付ける際において、口金ピン挿通孔３２への口金ピン２１の挿入に伴いランプソケット１６が起立位置に容易に逃げることが、前記抵抗付与手段をなした斜状部１３４によって妨げられるとともに、後述する前傾位置での節度によっても妨げられるので、確実に口金ピン２１を口金ピン挿通孔３２のすべてに挿入させながらランプソケット１６を前傾位置から起立位置に回動させることができる。したがって、前記逃げを抑制するためにランプソケット１６を手で押える等の面倒がなく、ランプ１６の取付け作業性を向上できる。
【００８１】
更に、既述のようにソケット取付け金具１３５の回動アーム部１３７の弾性力で係合突起１３９が係合突起挿入部１３０の第１位置決め部１３２及び第２位置決め部１３３に選択的にかつ弾性的に係合されるから、第１位置決め部１３２への係合突起１３９の弾性的係合によりランプソケット１６を起立位置に節度をもって保持でき、同時に第２位置決め部１３３への係合突起１３９の弾性的係合によりランプソケット１６を前傾位置に節度を持って保持できる。言い換えれば、弾性変形する回動アーム部１３７と、係合突起１３９と、この突起１３９が係脱する係合突起挿入部１３０の第１、第２の位置決め部１３２、１３３とが、クリックストップ手段をなすものである。そのため、回動可能なランプソケット１６を起立位置又は前傾位置の両位置に節度をもって保持できるので、ランプソケット１６が不用意にがたつくことがない。それにより、器具１１４の輸送時などにおいて加えられる衝撃でランプソケット１６の回動支点等に大きな負荷が加えられて損傷する恐れがないものである。
【００８２】
又、この第２の実施の形態では、ランプソケット１６が固定されたソケット取付け金具１３５が一枚のばね板製であって、その回動において既述の節度を得ることができるので、第１の実施の形態のものに比較してソケット装置１０４をなす部品を少なくでき、したがって、ソケット装置１０４の構造及び組立てが簡単であり、安価に得ることができる。
【００８３】
なお、本発明は前記第１、第２の実施の形態には制約されない。例えば、第２の実施の形態において、係合突起挿入部１３０は開放部１３１を有しない孔構造として、この挿通部１３０への係合突起１３９の挿入は、側壁１２７をその弾性を利用して外側に開きながら行なうようにしてもよい。
【００８４】
又、前記第２の実施の形態において、ソケット取付け金具１３５は、板ばねではなく、弾性変形ができない一枚の板材で形成することもできるとともに、係合突起１３９をソケット取付け金具１３５に設けることに代えて、ランプソケット１６の幅方向側面から突設してもよい。
【００８５】
更に、係合突起挿入部１３０を前記側壁１２７に設けることに代えて、前記側壁１２７に係合突起１３９を切り起こし等により設けるとともに、それに対応して、係合突起挿入部１３０をソケット取付け金具１３５又はランプソケット１６に設けてもよい。この場合、ソケット取付け金具１３５のソケット固定部１３６又は回動アーム部１３７から一体に折れ曲がって前記側壁１２７の内面に対向する側板部をソケット取付け金具１３５に形成して、そこに係合突起挿入部１３０を設けることができ、又、ランプソケット１６に設ける場合には、その幅方向両端の前記側壁１２７と対向する側面に凹ませて係合突起挿入部１３０を設けることができる。
【００８６】
又、本発明において上下の方向性は前記第１及び第２の実施の形態に制約されるものではないとともに、本発明はコーブ照明用の照明器具以外の用途の照明器具にも適用できる。
【００８７】
【発明の効果】
本発明は、以上説明したような形態で実施され、以下に記載されるような効果を奏する。
【００８８】
請求項１及び請求項２に記載の発明によれば、片口金型蛍光ランプの着脱の際におけるランプソケットの前傾位置と起立位置とにわたる回動に応じて、前記ランプの着脱に要する取付け角度を小さくできるので、器具設置上の制約を少なくできる。
【００８９】
請求項１の発明に従属する請求項２に記載の発明によれば、請求項１の発明の効果に加えて、回動可能なランプソケットを起立位置又は前傾位置の少なくとも一方の位置に節度をもって保持するので、ランプソケットの不用意ながたつきを防止できる。
【００９０】
請求項２の発明に従属する請求項５に記載の発明によれば、請求項２の発明の効果に加えて、回動可能なランプソケットを起立位置及び前傾位置に節度をもって保持するので、ランプソケットの不用意ながたつきを防止できる。
【００９１】
請求項１〜３の発明のいずれかに従属する請求項４に記載の発明によれば、請求項１〜３のいずれかの発明の効果に加えて、口金ピン挿通孔への口金ピンの挿入に伴い前傾姿勢のランプソケットが起立位置に容易に逃げることを防止して、片口金型蛍光ランプのランプソケットへの取付け作業性を向上できる。
【００９２】
請求項５の発明に従属する請求項６に記載の発明によれば、請求項５の発明の効果に加えて、口金ピン挿通孔への口金ピンの挿入に伴い前傾姿勢のランプソケットが起立位置に容易に逃げることを防止して、片口金型蛍光ランプのランプソケットへの取付け作業性を向上できる。
【００９３】
請求項２、５、６の発明のいずれかに従属する請求項７に記載の発明によれば、請求項２、５、６のいずれかの発明の効果に加えて、ソケット取付け金具支持台の側壁に設けられた係合突起挿入部にその開放された開放部からソケット取付け金具側の係合突起を導入させて、係合突起挿入部に係合突起を挿入することができるから、ソケット取付け金具支持台に対してソケット取付け金具を容易に取付けることができる。
【００９４】
請求項２、５、６、７のいずれかの発明に従属する請求項８の発明によれば、請求項２、５、６、７のいずれかの発明の効果に加えて、ランプソケットに接続された電線をソケット取付け金具が有した一対の回動アーム部相互間の間隙を通して電線を配線できるので、回動アーム部に電線を迂回させる必要がなく器具内に配線される電線の取扱いを容易にできる。
【図面の簡単な説明】
【図１】本発明の第１の実施の形態に係る照明器具の設置状況を示す略断面図。
【図２】図１中Ｚ−Ｚ線に沿う断面図。
【図３】（Ａ）は第１の実施の形態に係る照明器具のランプソケットにランプが差込まれる直前の状況を示す断面図。
（Ｂ）は第１の実施の形態に係る照明器具のランプソケットにランプが取付けられた状況を示す断面図。
【図４】（Ａ）は第１の実施の形態に係る照明器具のランプソケットが前傾した状況を示す斜視図。
（Ｂ）は第１の実施の形態に係る照明器具のランプソケットが起立した状況を示す斜視図。
【図５】（Ａ）は第１の実施の形態に係る照明器具のランプソケットにランプが取付けられる直前の状況を示す斜視図。
（Ｂ）は第１の実施の形態に係る照明器具のランプソケットにランプが取付けられる途中の状況を示す斜視図。
（Ｃ）は第１の実施の形態に係る照明器具のランプソケットにランプが取付けられた状況を示す斜視図。
【図６】（Ａ）は第１の実施の形態に係る照明器具が具える板ばねの構造を示す正面図。
（Ｂ）は第１の実施の形態に係る照明器具が具える板ばねの構造を示す側面図。
【図７】本発明の第２の実施の形態に係る照明器具全体の構成を示す斜視図。
【図８】第２の実施の形態に係る照明器具全体の構成を分解して示す斜視図。
【図９】第２の実施の形態に係る照明器具の本体主部側の構成を分解して示す斜視図。
【図１０】（Ａ）は第２の実施の形態に係る照明器具のランプソケットが前傾した状況を示す斜視図。
（Ｂ）は第２の実施の形態に係る照明器具のランプソケットが起立した状況を示す斜視図。
【図１１】（Ａ）は第２の実施の形態に係る照明器具のランプソケットにランプが差込まれる直前の状況を示す断面図。
（Ｂ）は第２の実施の形態に係る照明器具のランプソケットにランプが取付けられた状況を示す断面図。
【図１２】第２の実施の形態に係る照明器具が備えるソケット装置の構成を分解して示す斜視図。
【図１３】第２の実施の形態に係る照明器具が備えるソケット装置の構成を示す側面図。
【図１４】第２の実施の形態に係る照明器具が備えるソケット装置の構成を一部切欠して示す底面図。
【図１５】従来例に係る照明器具のランプソケットにランプを取付ける状況を示す断面図。
【符号の説明】
１４…照明器具、
１５…器具本体、
１６…ランプソケット、
１８…片口金型蛍光ランプ、
２０…ランプ口金、
２１…口金ピン、
２２…突起、
２２ａ…突起の先端、
２４…端部材（ソケット取付け金具支持台）、
２５…カバー、
２６…ソケット通孔、
３１…ソケット本体、
３１ａ…ソケット本体の前面、
３１ｂ…電線接続孔、
３２…口金ピン挿通孔、
３３…支持壁、
３３ａ…翼部、
３４…結合部、
３５…ソケット取付け板（ソケット取付け金具）、
３６…枢支孔、
３７…枢支突起、
３９…板ばね（クリックストップ手段、抵抗付与手段）、
１１４…照明器具。
１１５…器具本体、
１０４…ソケット装置、
１０５…電線、
１２４…端部材（ソケット取付け金具支持台）、
１２７…端部材の側壁、
１２８…端部材の底壁、
１２８ａ…底壁の枢支孔、
１３０…係合突起挿入部、
１３１…開放部、
１３２…第１位置決め部、
１３３…第２位置決め部、
１３４…斜状部、
１３５…ソケット取付け金具、
１３６…ソケット固定部、
１３７…回動アーム部、
１３７ａ…抜け止め舌片、
１３９…係合突起、
Ｇ…間隙。
【図１】
0003855416.tif 000002
【図２】
0003855416.tif 000003
【図３】
0003855416.tif 000004
【図４】
0003855416.tif 000005
【図５】
0003855416.tif 000006
【図６】
0003855416.tif 000007
【図７】
0003855416.tif 000008
【図８】
0003855416.tif 000009
【図９】
0003855416.tif 000010
【図１０】
0003855416.tif 000011
【図１１】
0003855416.tif 000012
【図１２】
0003855416.tif 000013
【図１３】
0003855416.tif 000014
【図１４】
0003855416.tif 000015
【図１５】
0003855416.tif 000016